(57)【特許請求の範囲】
【請求項１】
利用者からの要求に基づいてワールド・ワイド・ウェブページ（以下、単にＷｅｂページと記す）における情報検索サービスを行う検索サーバとメタ情報サーバからなるシステムにおける情報検索サービス方法において、
検索サーバは、ロボット検索によりＷｅｂページのＵＲＬ、及び該Ｗｅｂページに含まれるキーワードを収集し、
メタ情報サーバは、
前記Ｗｅｂページに含まれる各リンク情報を保存し、利用者によって該Ｗｅｂページが閲覧された時には、該利用者毎にトラフィック情報を保存し、
利用者が前記Ｗｅｂページを評価したときには、該利用者毎に、ユーザアクション情報を保存し、
前記検索サーバは、
利用者からキーワードが指定された場合には、前記Ｗｅｂページを検索した結果として該キーワードと一致するＷｅｂページ群を生成し、メタ情報取得要求として、前記メタ情報サーバに渡し、
前記メタ情報サーバは、
前記検索サーバから取得した前記Ｗｅｂページ群に対応するリンク情報、トラヒック情報、ユーザアクション情報を用いて、該Ｗｅｂページ毎に表示モードに対応するメタ情報を計算して、前記検索サーバに渡し、
前記検索サーバは、
検索結果、及び広告を、前記メタ情報により再構成し、該広告と共に利用者に提供することを特徴とする情報検索サービス方法。
【請求項２】
前記利用者が前記検索結果から意中のＷｅｂページを発見できずに、該検索結果からキーとなるＷｅｂページ、及び再検索モードを指定し、再検索を実行するリクエストが発行された場合には、
前記メタ情報サーバは、
前記リンク情報、前記トラフィック情報、前記ユーザアクション情報を用いて、前記Ｗｅｂページをキーにして、前記再検索モードに対応する次候補Ｗｅｂページリストを生成して前記検索サーバに渡し、
前記検索サーバは、前記次候補Ｗｅｂページリストを検索結果として前記利用者に提供する請求項１記載の情報検索サービス方法。
【請求項３】
前記メタ情報サーバは、
前記検索結果に含まれる、Ｗｅｂページ毎に、当該Ｗｅｂページに存在する総リンク数とドメイン外リンク数の割合を用い、該Ｗｅｂページがリンク集ページであるかを判定し、該Ｗｅｂページのメタ情報、及び広告を前記検索サーバに渡し、
前記検索サーバは、
前記Ｗｅｂページのメタ情報、及び前記広告を取得して、該検索結果を再構成する請求項１記載の情報検索サービス方法。
【請求項４】
前記メタ情報サーバは、
前記検索結果に含まれるＷｅｂページ毎に、該Ｗｅｂページに対して張られているリンクを用いて、該Ｗｅｂページが有名なＷｅｂページかを判定し、該Ｗｅｂページのメタ情報及び広告を前記検索サーバに渡し、
前記検索サーバは、前記Ｗｅｂページの前記メタ情報及び前記広告を用いて前記検索結果を再構成する請求項１記載の情報検索サービス方法。
【請求項５】
前記検索サーバは、
前記検索結果に含まれる前記Ｗｅｂページ毎に、該Ｗｅｂページに対して張られているリンク数を用い、該検索結果、及び広告を順序化し、検索結果として再構成する請求項１記載の情報検索サービス方法。
【請求項６】
前記メタ情報サーバは、
前記検索結果に含まれる前記Ｗｅｂページ毎に、前記ユーザアクション情報における、当該利用者以外の利用者の評価を、当該利用者との類似度により重み付けして前記検索サーバに渡し、
前記検索サーバは、
重み付き後の評価とを足し合わせた結果により該検索結果、及び広告を順序化して、検索結果として再構成する請求項１記載の情報検索サービス方法。
【請求項７】
前記メタ情報サーバは、
前記利用者から再検索の実行がリクエストされた場合には、
キーとなるＷｅｂページが存在するＷｅｂサイトと同一Ｗｅｂサイトに存在するＷｅｂページのリストを生成して前記検索サーバに渡し、
前記検索サーバは、
次候補Ｗｅｂページリストを検索結果として前記利用者に提供する請求項２記載の情報検索サービス方法。
【請求項８】
前記メタ情報サーバは、
前記利用者から再検索の実行がリクエストされた場合には、
キーとなるＷｅｂページをルートとなるＵＲＬ階層による木構造を生成し前記検索サーバに渡し、
前記検索サーバは、
次候補Ｗｅｂページ木構造を検索結果として提供する請求項２記載の情報検索サービス方法。
【請求項９】
前記メタ情報サーバは、
前記利用者から再検索の実行がリクエストされた場合には、
キーとなるＷｅｂページをルートとなるリンク関係による木構造を生成し前記検索サーバに渡し、
前記検索サーバは、
次候補Ｗｅｂページ木構造を検索結果として提供する請求項２記載の情報検索サービス方法。
【請求項１０】
前記メタ情報サーバは、
前記利用者から再検索の実行がリクエストされた場合には、
キーとなるＷｅｂページが存在するＷｅｂサイトから、相互にリンクが張られ手いるＷｅｂサイトのトップＷｅｂページのリストを次候補Ｗｅｂページリストとして生成し、前記検索サーバに渡し、
前記検索サーバは、
前記次候補Ｗｅｂページリストを検索結果として提供する請求項２記載の情報検索サービス方法。
【請求項１１】
前記メタ情報サーバは、
前記利用者から再検索の実行がリクエストされた場合には、
前記ユーザアクション情報を用い、当該利用者と類似の嗜好を持つ当該利用者以外の利用者が、「好き」と評価したＷｅｂページのリストを生成し、
次候補Ｗｅｂページリストから、既に当該利用者が評価済のＷｅｂページ、及び前回の検索結果のＷｅｂページリストを減算した、減算された次候補Ｗｅｂページリストを前記検索サーバに渡し、
前記検索サーバは、
前記減算された次候補Ｗｅｂページリストを検索結果として提供する請求項２記載の情報検索サービス方法。
【請求項１２】
前記メタ情報サーバは、
前記利用者から再検索の実行がリクエストされた場合には、
前記トラフィック情報を用い、キーとなるＷｅｂページからトラフィックが存在するＷｅｂページのリストを次候補ページリストとして生成し、前記検索サーバに渡し、
前記検索サーバは、
前記次候補Ｗｅｂページリストを検索結果として提供する請求項２記載の情報検索サービス方法。
【請求項１３】
前記メタ情報サーバは、
前記利用者から再検索の実行がリクエストされた場合には、
前記トラヒック情報を用い、キーとなるＷｅｂページから当該利用者と同性、または、異性の利用者に関するトラフィックが存在するＷｅｂページのリストを次候補Ｗｅｂページリストとして生成し、前記検索サーバに渡し、
前記検索サーバは、
前記次候補Ｗｅｂページリストを検索結果として提供する請求項２記載の情報検索サービス方法。
【請求項１４】
前記メタ情報サーバは、
前記利用者から再検索の実行がリクエストされた場合には、
前記トラヒック情報を用い、キーとなるＷｅｂページから当該利用者と同世代、また、任意の世代の利用者に関するトラフィックが存在するＷｅｂページのリストを次候補Ｗｅｂページリストとして生成し、前記検索サーバに渡し、
前記検索サーバは、
前記次候補Ｗｅｂページリストを検索結果として提供する請求項２記載の情報検索サービス方法。
【請求項１５】
Ｗｅｂページにおける情報検索サービスにおいて、情報検索サービス提供者の検索サーバとメタ情報サービス提供者のメタ情報サーバからなるシステムにおいて、該検索サーバに実行させる情報検索サービスプログラムを格納した記憶媒体であって、
ロボット検索によりＷｅｂページのＵＲＬ及び該Ｗｅｂページに含まれるキーワードを収集するステップと、
前記メタ情報サーバから渡されたメタ情報により、検索結果、及び広告を再構成し、提供するステップと、を実行し、
利用者から、前記検索結果からキーとなるＷｅｂページ、及び際検索モードが指定された場合には、
前記メタ情報サーバから渡された次候補Ｗｅｂページリストを検索結果として提供するステップを実行させるプログラムを格納したことを特徴とする情報検索サービスプログラムを格納した記憶媒体。
【請求項１６】
前記メタ情報サーバから取得した重み付け後の評価とを足し合わせた結果により、検索結果、及び広告を順序化して、検索結果として再構成するステップを実行させる請求項１５記載の情報検索サービスプログラムを格納した記憶媒体。
【請求項１７】
前記メタ情報サーバからＷｅｂページの木構造を取得し、次候補Ｗｅｂページ木構造を検索結果として提供するステップを実行させる請求項１５記載の情報検索サービスプログラムを格納した記憶媒体。
【請求項１８】
前記利用者から再検索のリクエストが発行された場合に、前記メタ情報サーバから取得した次候補Ｗｅｂページリストを検索結果として提供するステップを実行させる請求項１５記載の情報検索サービスプログラムを格納した記憶媒体。
【請求項１９】
前記メタ情報サーバから取得した次候補Ｗｅｂページリストから、既に当該利用者が評価済のＷｅｂページ、及び前回の検索結果のＷｅｂページリストを減算した次回Ｗｅｂページリストを検索結果として提供するステップを実行させる請求項１５記載の情報検索サービスプログラムを格納した記憶媒体。
【請求項２０】
Ｗｅｂページおける情報検索サービスにおいて、情報検索サービス提供者の検索サーバとメタ情報サーバからなるシステムにおいて、該メタ情報サーバに実行させる情報検索サービスプログラムを格納した記憶媒体であって、
前記Ｗｅｂページに含まれる各リンク情報を保存し、利用者による該Ｗｅｂページ閲覧時に、該利用者毎にトラフィック情報を格納するステップと、
利用者による該Ｗｅｂページ評価時に、該利用者毎に、ユーザアクション情報を格納するステップと、
利用者によるキーワード指定による前記Ｗｅｂページ検索時に、検索結果として該キーワードと一致するＷｅｂページ群を生成するステップと、
前記Ｗｅｂページ群に対応するリンク情報、トラフィック情報、ユーザアクション情報を用いて、該Ｗｅｂページごとに表示モードに対応するメタ情報を計算し、前記検索サーバに渡すステップと、を実行させることを特徴とする情報検索サービスプログラムを格納した記憶媒体。
【請求項２１】
前記利用者から、前記検索結果から意中のＷｅｂページを発見できずに、該検索結果からキーとなるＷｅｂページ、及び再検索モードが指定された場合に、
前記リンク情報、前記トラフィック情報、前記ユーザアクション情報を用いて、前記Ｗｅｂページをキーにして、該再検索モードに対応する次候補Ｗｅｂページリストを生成して前記検索サーバに渡すステップを実行させる請求項２０記載の情報検索サービスプログラムを格納した記憶媒体。
【請求項２２】
前記検索結果に含まれるＷｅｂページ毎に、当該Ｗｅｂページに存在する総リンク数とドメイン外リンク数の割合を用い、該Ｗｅｂページがリンク集ページであるかを判定し、該Ｗｅｂページのメタ情報、及び広告を前記検索サーバに渡すステップを実行させる請求項２０記載の情報検索サービスプログラムを格納した記憶媒体。
【請求項２３】
前記検索結果に含まれるＷｅｂページ毎に、該Ｗｅｂページに対して張られ手いるリンクを用いて、該Ｗｅｂページが有名なＷｅｂページかを判定し、該Ｗｅｂページのメタ情報及び広告を前記検索サーバに渡すステップを実行させる請求項２０記載の情報検索サービスプログラムを格納した記憶媒体。
【請求項２４】
前記検索結果に含まれる前記Ｗｅｂページ毎に、該Ｗｅｂページに対して張られているリンク数を用い、該検索結果、及び広告を順序化して前記検索サーバに渡すステップを実行させる請求項２０記載の情報検索サービスプログラムを格納した記憶媒体。
【請求項２５】
前記検索結果に含まれる前記Ｗｅｂページ毎に、前記ユーザアクション情報における、当該利用者以外の利用者の評価を、当該利用者との類似度により重み付けして前記検索サーバに渡すステップを実行させる請求項２０記載の情報検索サービスプログラムを格納した記憶媒体。
【請求項２６】
前記利用者から再検索のリクエストが発行された場合に、
キーとなるＷｅｂページが存在するＷｅｂサイトと同一Ｗｅｂサイトに存在するＷｅｂページのリストを生成して前記検索サーバに渡すステップを実行させる請求項２０記載の情報検索サービスプログラムを格納した記憶媒体。
【請求項２７】
前記利用者から再検索のリクエストが発行された場合に、
キーとなるＷｅｂページをルートとなるＵＲＬ階層による木構造を生成して前記検索サーバに渡すステップを実行させる請求項２１記載の情報検索サービスプログラムを格納した記憶媒体。
【請求項２８】
前記利用者から再検索のリクエストが発行された場合に、
キーとなるＷｅｂページをルートとなるリンク関係による木構造を生成して前記検索サーバに渡すステップを実行させる請求項２１記載の情報検索サービスプログラムを格納した記憶媒体。
【請求項２９】
前記利用者から再検索のリクエストが発行された場合に、
キーとなるＷｅｂページが存在するＷｅｂサイトから、相互にリンクが張られているＷｅｂサイトのトップＷｅｂページのリストを生成して前記検索サーバに渡すステップを実行させる請求項２１記載の情報検索サービスプログラムを格納した記憶媒体。
【請求項３０】
前記利用者から再検索のリクエストが発行された場合に、
前記ユーザアクション情報を用い、当該利用者と類似の嗜好を持つ当該利用者以外の利用者が、「好き」と評価したＷｅｂページのリストを生成するステップと、
次候補Ｗｅｂページリストから、既に当該利用者が評価済のＷｅｂページ、及び前回の検索結果のＷｅｂページリストを減算した次候補Ｗｅｂページリストを前記検索サーバに渡すステップを実行させる請求項２１記載の情報検索サービスプログラムを格納した記憶媒体。
【請求項３１】
前記利用者から再検索のリクエストが発行された場合に、
前記トラフィック情報を用い、キーとなるＷｅｂページからトラフィックが存在するＷｅｂページのリストを生成して前記検索サーバに渡すステップを実行させる請求項２１記載の情報検索サービスプログラムを格納した記憶媒体。
【請求項３２】
前記利用者から再検索のリクエストが発行された場合に、
前記トラフィック情報を用い、キーとなるＷｅｂページから当該利用者と同性、または、異性の利用者に関するトラフィックが存在するＷｅｂページのリストを生成して是器検索サーバに渡すステップを実行させる請求項２１記載の情報検索サービスプログラムを格納した記憶媒体。
【請求項３３】
前記利用者から再検索のリクエストが発行された場合に、
前記トラフィック情報を用い、キーとなるＷｅｂページから当該利用者と同世代、または、任意の世代の利用者に関するトラフィックが存在するＷｅｂページのリストを生成して前記検索サーバに渡すステップを実行させる請求項２１記載の情報検索サービスプログラムを格納した記憶媒体。
【発明の詳細な説明】
【０００１】
【発明の属する技術分野】
本発明は、情報検索サービス方法及び情報検索サービスプログラムを格納した記憶媒体に係り、特に、ワールド・ワイド・ウェブページ（以下、単にＷｅｂページと記す）に関する情報検索サービス方法及び情報検索サービスプログラムを格納した記憶媒体に関する。
【０００２】
詳しくは、Ｗｅｂページからリンク情報を解析・収集し、利用者の挙動をトラフィック情報として記録し、利用者の嗜好をユーザアクション情報として記録し、当該情報を用いて、検索結果を再配置することにより、利用者が効率よく、検索結果を精査可能とし、また、当該情報を用いて、検索結果の次候補を再計算することにより、利用者が意中の結果を取得できるようにし、究極的には、他の検索サービス提供者との差別化を可能とするための情報検索サービス方法及び情報検索サービスプログラムを格納した記憶媒体に関する。
【０００３】
【従来の技術】
従来の技術として、従来の情報検索サービス方法について説明する。図１２は、従来の情報検索サービスのモジュール構成を示す。従来の情報検索サービス方法は、次のような手順で実現される。同図において、○内の数字と以下の説明内の数字は対応するものとする。
【０００４】
▲１▼  検索サービス提供者は、自ら運営する検索サーバを用い、インターネットに対して、ロボット検索を行う。ロボット検索により、検索サーバには、インターネットに存在するＷｅｂページのＵＲＬ（Unique Resource Locator ）と、当該Ｗｅｂページに含まれるキーワードが格納される。
【０００５】
▲２▼  大量のＵＲＬを収集した検索サーバは、良質の情報検索サービスを提供できるため、大勢の利用者が当該検索サーバを訪れる。広告主は、当該検索サーバのようにヒット数の多いサーバに、自らの広告を掲載することにメリットを感じ、当該検索サービス提供者と、広告掲載契約を締結する。
【０００６】
▲３▼  一方、利用者は、検索サーバに対して、キーワードを指定することにより、Ｗｅｂページ検索をリクエストする。
【０００７】
▲４▼  検索サーバは、利用者に対して、当該キーワードと一致する検索結果と広告を返却する。検索サーバは、無作為、もしくは、キーワードに関連した広告を選択する。利用者は検索結果を精査するためには、必然的に広告を視聴することとなり、広告として機能する。
【０００８】
▲５▼  広告主は、検索サービス提供者に対して、広告掲載料を支払う。広告掲載料は、利用者に提示された回数、もしくは、利用者にクリックされた回数に応じて支払われる。検索サービス提供者は、広告掲載料を元手に、大量のＵＲＬを収集し、より良質な情報検索サービスを提供できる。
【０００９】
【発明が解決しようとする課題】
しかしながら、上記従来の情報検索サービス方法では、利用者に情報検索サービスを提供できるが、基本的に利用者が入力するキーワードとの一致率のみを根拠に検索結果を生成するため、情報検索サービスに対する多様な要求を満たすことができず、最終的に意中の結果を得ることができないという問題がある。
【００１０】
また、従来の情報検索サービス方法には、検索結果が大量に存在する時に、検索結果をキーワードとの一致率により順序化した後、利用者に提供する機能が存在するが、キーワードとの一致率のみでは、情報検索サービスに対する多様な要求を満たすことができず、結果として、利用者は大量の検索結果を精査することを強いられるという問題がある。
【００１１】
本発明は、上記の点に鑑みなされたもので、Ｗｅｂページから解析・収集されるリンク情報、利用者の挙動を記録したトラフィック情報、利用者の嗜好を記録したユーザアクション情報を用いて、検索結果を再配置することにより、利用者が効率よく検索結果を精査可能とし、また、当該情報を用いて、検索結果の次候補を再計算することにより、利用者が意中の結果を取得できるようにし、究極的には、他の検索サービス提供者との差別化を図ることが可能な情報検索サービス方法及び情報検索サービスプログラムを格納した記憶媒体を提供することを目的とする。
【００１２】
【課題を解決するための手段】
図１は、本発明の原理を説明するための図である。
【００２７】
本発明は、利用者からの要求に基づいてワールド・ワイド・ウェブページ（以下、単にＷｅｂページと記す）における情報検索サービスを行う検索サーバとメタ情報サーバからなるシステムにおける情報検索サービス方法において、
検索サーバは、ロボット検索によりＷｅｂページのＵＲＬ、及び該Ｗｅｂページに含まれるキーワードを収集し、
メタ情報サーバは、
Ｗｅｂページに含まれる各リンク情報を保存し、利用者によって該Ｗｅｂページが閲覧された時には、該利用者毎にトラフィック情報を保存し、
利用者がＷｅｂページを評価したときには、該利用者毎に、ユーザアクション情報を保存し、
検索サーバは、
利用者からキーワードが指定された場合には、Ｗｅｂページを検索した結果として該キーワードと一致するＷｅｂページ群を生成し、メタ情報取得要求として、メタ情報サーバに渡し、
メタ情報サーバは、
検索サーバから取得したＷｅｂページ群に対応するリンク情報、トラヒック情報、ユーザアクション情報を用いて、該Ｗｅｂページ毎に表示モードに対応するメタ情報を計算して、検索サーバに渡し、
検索サーバは、
検索結果、及び広告を、メタ情報により再構成し、該広告と共に利用者に提供する。
【００２８】
本発明は、利用者が検索結果から意中のＷｅｂページを発見できずに、該検索結果からキーとなるＷｅｂページ、及び再検索モードを指定し、再検索を実行するリクエストが発行された場合には、
メタ情報サーバは、
リンク情報、トラフィック情報、ユーザアクション情報を用いて、Ｗｅｂページをキーにして、再検索モードに対応する次候補Ｗｅｂページリストを生成して検索サーバに渡し、
検索サーバは、次候補Ｗｅｂページリストを検索結果として利用者に提供する。
【００２９】
本発明は、メタ情報サーバにおいて、
検索結果に含まれるＷｅｂページ毎に、当該Ｗｅｂページに存在する総リンク数とドメイン外リンク数の割合を用い、該Ｗｅｂページがリンク集ページであるかを判定し、該Ｗｅｂページのメタ情報、及び広告を検索サーバに渡し、
検索サーバは、
Ｗｅｂページのメタ情報、及び広告を取得して、該検索結果を再構成する。
【００３０】
本発明は、メタ情報サーバにおいて、
検索結果に含まれるＷｅｂページ毎に、該Ｗｅｂページに対して張られているリンクを用いて、該Ｗｅｂページが有名なＷｅｂページかを判定し、該Ｗｅｂページのメタ情報及び広告を検索サーバに渡し、
検索サーバは、Ｗｅｂページのメタ情報及び広告を用いて検索結果を再構成する。
【００３１】
本発明は、検索サーバにおいて、
検索結果に含まれるＷｅｂページ毎に、該Ｗｅｂページに対して張られているリンク数を用い、該検索結果、及び広告を順序化し、検索結果として再構成する。
【００３２】
本発明は、メタ情報サーバにおいて、
検索結果に含まれるＷｅｂページ毎に、ユーザアクション情報における、当該利用者以外の利用者の評価を、当該利用者との類似度により重み付けして検索サーバに渡し、
検索サーバは、
重み付き後の評価とを足し合わせた結果により該検索結果、及び広告を順序化して、検索結果として再構成する。
【００３３】
本発明は、メタ情報サーバにおいて、
利用者から再検索の実行がリクエストされた場合には、
キーとなるＷｅｂページが存在するＷｅｂサイトと同一Ｗｅｂサイトに存在するＷｅｂページのリストを生成して検索サーバに渡し、
検索サーバは、次候補Ｗｅｂページリストを検索結果として利用者に提供する。
【００３４】
本発明は、メタ情報サーバにおいて、
利用者から再検索の実行がリクエストされた場合には、
キーとなるＷｅｂページをルートとなるＵＲＬ階層による木構造を生成し検索サーバに渡し、
検索サーバは、次候補Ｗｅｂページ木構造を検索結果として提供する。
【００３５】
本発明は、メタ情報サーバにおいて、
利用者から再検索の実行がリクエストされた場合には、
キーとなるＷｅｂページをルートとなるリンク関係による木構造を生成し検索サーバに渡し、
検索サーバは、次候補Ｗｅｂページ木構造を検索結果として提供する。
【００３６】
本発明は、メタ情報サーバにおいて、
利用者から再検索の実行がリクエストされた場合には、
キーとなるＷｅｂページが存在するＷｅｂサイトから、相互にリンクが張られ手いるＷｅｂサイトのトップＷｅｂページのリストを次候補Ｗｅｂページリストとして生成し、検索サーバに渡し、
検索サーバは、次候補Ｗｅｂページリストを検索結果として提供する。
【００３７】
本発明は、メタ情報サーバにおいて、
利用者から再検索の実行がリクエストされた場合には、
ユーザアクション情報を用い、当該利用者と類似の嗜好を持つ当該利用者以外の利用者が、「好き」と評価したＷｅｂページのリストを生成し、
次候補Ｗｅｂページリストから、既に当該利用者が評価済のＷｅｂページ、及び前回の検索結果のＷｅｂページリストを減算した、減算された次候補Ｗｅｂページリストを検索サーバに渡し、
検索サーバは、減算された次候補Ｗｅｂページリストを検索結果として提供する。
【００３８】
本発明は、メタ情報サーバにおいて、
利用者から再検索の実行がリクエストされた場合には、
トラフィック情報を用い、キーとなるＷｅｂページからトラフィックが存在するＷｅｂページのリストを次候補ページリストとして生成し、検索サーバに渡し、
検索サーバは、次候補Ｗｅｂページリストを検索結果として提供する。
【００３９】
本発明は、メタ情報サーバにおいて、
利用者から再検索の実行がリクエストされた場合には、
トラヒック情報を用い、キーとなるＷｅｂページから当該利用者と同性、または、異性の利用者に関するトラフィックが存在するＷｅｂページのリストを次候補Ｗｅｂページリストとして生成し、検索サーバに渡し、
検索サーバは、次候補Ｗｅｂページリストを検索結果として提供する。
【００４０】
本発明は、メタ情報サーバにおいて、
利用者から再検索の実行がリクエストされた場合には、
トラヒック情報を用い、キーとなるＷｅｂページから当該利用者と同世代、また、任意の世代の利用者に関するトラフィックが存在するＷｅｂページのリストを次候補Ｗｅｂページリストとして生成し、検索サーバに渡し、
検索サーバは、次候補Ｗｅｂページリストを検索結果として提供する。
【００４２】
本発明は、Ｗｅｂページにおける情報検索サービスにおいて、情報検索サービス提供者の検索サーバとメタ情報サービス提供者のメタ情報サーバからなるシステムにおいて、該検索サーバに実行させる情報検索サービスプログラムを格納した記憶媒体であって、
ロボット検索によりＷｅｂページのＵＲＬ及び該Ｗｅｂページに含まれるキーワードを収集するステップと、
メタ情報サーバから渡されたメタ情報により、検索結果、及び広告を再構成し、提供するステップと、を実行させ、
利用者から、検索結果からキーとなるＷｅｂページ、及び際検索モードが指定された場合に、
メタ情報サーバから渡された次候補Ｗｅｂページリストを検索結果として提供するステップを実行させるプログラムを格納する。
【００４４】
本発明は、メタ情報サーバから取得した重み付け後の評価とを足し合わせた結果により、検索結果、及び広告を順序化して、検索結果として再構成するステップを実行させる。
【００４５】
本発明は、メタ情報サーバからＷｅｂページの木構造を取得し、次候補Ｗｅｂページ木構造を検索結果として提供するステップを実行させる。
【００４６】
本発明は、利用者から再検索のリクエストが発行された場合に、メタ情報サーバから取得した次候補Ｗｅｂページリストを検索結果として提供するステップを実行させる。
【００４７】
本発明は、メタ情報サーバから取得した次候補Ｗｅｂページリストから、既に当該利用者が評価済のＷｅｂページ、及び前回の検索結果のＷｅｂページリストを減算した次回Ｗｅｂページリストを検索結果として提供するステップを実行させる。
【００４８】
本発明は、Ｗｅｂページおける情報検索サービスにおいて、情報検索サービス提供者の検索サーバとメタ情報サーバからなるシステムにおいて、該メタ情報サーバに実行させる情報検索サービスプログラムを格納した記憶媒体であって、
Ｗｅｂページに含まれる各リンク情報を保存し、利用者による該Ｗｅｂページ閲覧時に、該利用者毎にトラフィック情報を格納するステップと、
利用者による該Ｗｅｂページ評価時に、該利用者毎に、ユーザアクション情報を格納するステップと、
利用者によるキーワード指定によるＷｅｂページ検索時に、検索結果として該キーワードと一致するＷｅｂページ群を生成するステップと、
Ｗｅｂページ群に対応するリンク情報、トラフィック情報、ユーザアクション情報を用いて、該Ｗｅｂページごとに表示モードに対応するメタ情報を計算し、検索サーバに渡すステップと、を実行させる。
【００４９】
本発明は、利用者から、検索結果から意中のＷｅｂページを発見できずに、該検索結果からキーとなるＷｅｂページ、及び再検索モードが指定された場合に、
リンク情報、トラフィック情報、ユーザアクション情報を用いて、Ｗｅｂページをキーにして、該再検索モードに対応する次候補Ｗｅｂページリストを生成して検索サーバに渡すステップを実行させる。
【００５０】
本発明は、検索結果に含まれるＷｅｂページ毎に、当該Ｗｅｂページに存在する総リンク数とドメイン外リンク数の割合を用い、該Ｗｅｂページがリンク集ページであるかを判定し、該Ｗｅｂページのメタ情報、及び広告を検索サーバに渡すステップを実行させる。
【００５１】
本発明は、検索結果に含まれるＷｅｂページ毎に、該Ｗｅｂページに対して張られているリンクを用いて、該Ｗｅｂページが有名なＷｅｂページかを判定し、該Ｗｅｂページのメタ情報及び広告を検索サーバに渡すステップを実行させる。
【００５２】
本発明は、検索結果に含まれるＷｅｂページ毎に、該Ｗｅｂページに対して張られているリンク数を用い、該検索結果、及び広告を順序化して検索サーバに渡すステップを実行させる。
【００５３】
本発明は、検索結果に含まれるＷｅｂページ毎に、ユーザアクション情報における、当該利用者以外の利用者の評価を、当該利用者との類似度により重み付けして検索サーバに渡すステップを実行させる。
【００５４】
本発明は、利用者から再検索のリクエストが発行された場合に、
キーとなるＷｅｂページが存在するＷｅｂサイトと同一Ｗｅｂサイトに存在するＷｅｂページのリストを生成して検索サーバに渡すステップを実行させる。
【００５５】
本発明は、利用者から再検索のリクエストが発行された場合に、
キーとなるＷｅｂページをルートとなるＵＲＬ階層による木構造を生成して検索サーバに渡すステップを実行させる。
【００５６】
本発明は、利用者から再検索のリクエストが発行された場合に、
キーとなるＷｅｂページをルートとなるリンク関係による木構造を生成して検索サーバに渡すステップを実行させる。
【００５７】
本発明は、利用者から再検索のリクエストが発行された場合に、
キーとなるＷｅｂページが存在するＷｅｂサイトから、相互にリンクが張られているＷｅｂサイトのトップＷｅｂページのリストを生成して検索サーバに渡すステップを実行させる。
【００５８】
本発明は、利用者から再検索のリクエストが発行された場合に、
ユーザアクション情報を用い、当該利用者と類似の嗜好を持つ当該利用者以外の利用者が、「好き」と評価したＷｅｂページのリストを生成するステップと、
次候補Ｗｅｂページリストから、既に当該利用者が評価済のＷｅｂページ、及び前回の検索結果のＷｅｂページリストを減算した次候補Ｗｅｂページリストを検索サーバに渡すステップを実行させる。
【００５９】
本発明は、利用者から再検索のリクエストが発行された場合に、
トラフィック情報を用い、キーとなるＷｅｂページからトラフィックが存在するＷｅｂページのリストを生成して検索サーバに渡す。
【００６０】
本発明は、利用者から再検索のリクエストが発行された場合に、
トラフィック情報を用い、キーとなるＷｅｂページから当該利用者と同性、または、異性の利用者に関するトラフィックが存在するＷｅｂページのリストを生成して是器検索サーバに渡すステップを実行させる。
【００６１】
本発明は、利用者から再検索のリクエストが発行された場合に、
トラフィック情報を用い、キーとなるＷｅｂページから当該利用者と同世代、または、任意の世代の利用者に関するトラフィックが存在するＷｅｂページのリストを生成して検索サーバに渡すステップを実行させる。
【００６２】
上記のように、本発明は、Ｗｅｂページからリンク情報を解析・収集し、利用者の挙動をトラフィック情報として記録し、利用者の嗜好をユーザアクション情報として記録し、当該情報を用いて、検索結果を再配置することにより、利用者が効率よく、検索結果を精査可能とし、また、当該情報を用いて、検索結果の次候補を再計算することにより、利用者が意中の結果を取得することが可能となる。
【００６３】
【発明の実施の形態】
図２，図３は、本発明の情報検索サービス方法の動作の概要を示すフローチャートであり、図４は、本発明の情報検索サービス方法の概要を説明するための図である。図４における○内の数字と以下の説明の（）内の数字は対応するものとする。
【００６４】
ステップ１０１）  検索サーバ４１０は、インターネット５００に対してロボット検索を行う。検索サーバ４１０には、ロボット検索により、インターネット５００に存在するＷｅｂページのＵＲＬと、当該Ｗｅｂページに含まれるキーワードが格納される（１）。
【００６５】
ステップ１０２）  メタ情報サーバ３１０は、インターネット５００に対して、当該ロボット検索により収集されたＷｅｂページを取得、解析し、当該Ｗｅｂページを取得、解析し、当該Ｗｅｂページに含まれる各リンクに関するリンク情報を保存する。リンク情報とは、当該リンクのリンク先ＵＲＬ、当該リオンクが当該Ｗｅｂページと同一のドメイン内にリンク（ドメイン内リンク）か、否（ドメイン外リンク）か、当該リンクがＨＴＭＬ文書に対するリンクか、画像に対するリンクか、の情報である（２）。
【００６６】
ステップ１０３）  メタ情報サーバ３１０は、利用者毎に、トラフィック情報を保存する。トラフィック情報とは、利用者１００があるＷｅｂページを閲覧中に別のＷｅｂページに移動したときに、移動元ＷｅｂページＵＲＬ，移動先ＷｅｂページＵＲＬ、及び移動時刻を記録した情報である。また、メタ情報サーバ３１０は、利用者毎に、ユーザアクション情報を保存する。ユーザアクション情報とは、利用者１００がＷｅｂページに対して、好き（ＯＫ）、もしくは、嫌い（ＮＧ）の評価を与えた時に、好きなＷｅｂページのＵＲＬ、嫌いなＷｅｂページのＵＲＬを記録した情報である（３）。
【００６７】
ステップ１０４）  良質の情報検索サービスを提供できる検索サーバ４１０には、大勢の利用者１００が当該検索サーバ４１０を訪れる。広告主２００は、当該検索サーバ４１０のようにヒット数の多いサーバに、自らの広告を掲載することにメリットを感じ、当該検索サービス提供者４００、もしくは、当該メタ情報サービス提供者３００と、広告掲載契約を締結する（４）。
【００６８】
ステップ１０５）  利用者１００は、検索サーバ４１０に対して、キーワードを指定することにより、Ｗｅｂページ検索をリクエストする（５）。
【００６９】
ステップ１０６）  検索サーバ４１０は、当該キーワードと一致するＷｅｂページのＵＲＬリストを検索結果として生成する。検索サーバ４１０は、メタ情報サーバ３１０に対して、現在の表示モードに対応するメタ情報取得をリクエストする。表示モードと動作の対応関係を以下に示す（６）。
【００７０】
【表１】
0003539354.tif 000002
ステップ１０７）  メタ情報サーバ３１０は、検索サーバ４１０に対して、メタ情報を計算して、広告と共に返却する。表示モードとメタ情報の計算方法の対応関係を以下に示す（７）。
【００７１】
【表２】
0003539354.tif 000003
ステップ１０８）  検索サーバ４１０は、利用者１００に対して、当該メタ情報を利用して、検索結果を再構成し、広告と共に検索結果として利用者１００に提供する。また、画面の再構成方法は、上記のステップ１０６で述べた表示モードと動作の対応関係に従うものとする（８）。
【００７３】
ステップ１０９）  利用者１００が、当該検索結果から再検索する時には、当該検索結果からキーとなるＷｅｂページを選択し、再検索モードを指定して、検索サーバ４１０に対して再検索をリクエストする（９）。
【００７４】
ステップ１１０）  検索サーバ４１０は、メタ情報サーバ３１０に対して、当該Ｗｅｂページをキーとして、当該再検索モードに対応するメタ情報（次候補）の取得をリクエストする。再検索モードと次候補の対応関係を以下に示す（１０）。
【００７５】
【表３】
0003539354.tif 000004
ステップ１１１）  メタ情報サーバ３１０は、検索サーバ４１０に対して、メタ情報（次候補）を計算して、広告と共に返却する。再検索モードとメタ情報（次候補）の計算方法の対応関係を以下に示す（１１）。
【００７６】
【表４】
0003539354.tif 000005
ステップ１１２）  検索サーバ４１０は、利用者１００に対して当該メタ情報（次候補）を新たな検索結果として、広告と共に提供する（１２）。
【００７７】
ステップ１１３）  広告主２００は、検索サービス提供者４００、もしくは、メタ情報サービス提供者３００に対して、広告掲載料を支払う。広告掲載料は、利用者１００に提示された回数、もしくは、利用者１００にクリックされた回数に応じて支払われる。検索サービス提供者４００、もしくは、メタ情報サービス提供者３００は、広告掲載料を元手に、大量のＵＲＬやメタ情報を収集し、より良質な情報検索サービスを提供する（１３）。
【００７８】
【実施例】
以下、図面と共に本発明の実施例を説明する。
【００７９】
本発明の実施例として、超高速情報ナビゲーションシステムにおいて、情報検索サービスを提供する例を説明する。
【００８０】
超高速情報ナビゲーションシステムとは、図５に示すように、キーワードによるＷｅｂ検索結果の各Ｗｅｂページを、Ｗｅｂブラウザとして３次元空間上に表示し、当該空間内を自由に徘徊することにより、検索結果を精査するシステムである。
【００８１】
（１）  検索サーバ４１０（ＳＳ）が、インターネット５００に対してロボット検索を行う。検索サーバ４１０には、当該ロボット検索により、相当数のＷｅｂページのＵＲＬと、当該Ｗｅｂページ含まれるキーワードが格納され、検索が可能になる。
【００８２】
（２）  メタ情報サーバ３１０（ＭＳ）が、当該ロボット検索により収集されたＷｅｂページを取得、解析し、ズ６に示すリンク情報例を抽出し、保存する。
【００８３】
（３）  メタ情報サーバ３１０は、利用者１００Ａ，Ｂ，Ｃ，Ｄに関して、図７に示すトラフィック情報を保存する。また、メタ情報サーバ３１０は、利用者１００Ａ，Ｂ，Ｃ，Ｄに関して、図８に示すユーザアクション情報を保存する。
（４）  広告主２００（ＡＰ）は、メタ情報サービス提供者３００と広告掲載契約を締結する。
【００８４】
（５）  利用者１００Ａは、検索サーバ４１０に対して、キーワード「沖縄」を指定し、Ｗｅｂページ検索を実行させる。
【００８５】
（６）  検索サーバ４１０は、キーワード「沖縄」と一致するＷｅｂページのＵＲＬリストとして、図９に示す検索結果を生成する。検索サーバ４１０は、メタ情報サーバ３１０に対して、図９に示す検索結果のＵＲＬ毎に、現在の表示モード「リンク集に対応するメタ情報／リンク集ページか否かの情報」の取得をリクエストする。
【００８６】
（７）  メタ情報サーバ３１０は、当該ＵＲＬ毎に、メタ情報「リンク集ページか否かの情報」を計算する。例えば、『ＵＲＬ：http://www.aa.co.jp/』について、当該メタ情報を計算する。前述の図６から、当該Ｗｅｂページに存在するリンク数は７、ドメイン外リンクは５、総リンク数に対するドメイン外リンクの割合は、約７１％となり、基準（例：６０％）より高いため、リンク集ページであると判定される。他のＵＲＬに関しても、当該メタ情報を計算した結果として、図９の結果が得られる。メタ情報サーバ３１０は、検索サーバ４１０に対して、広告主２００の広告と共に、当該メタ情報を返却する。なお、より詳細なリンク集判定方法に関しては、例えば、特願平１１−２６６０５５に開示されている方法を用いることも可能である。
【００８７】
（８）  検索サーバ４１０は、メタ情報サーバ３１０から取得したメタ情報を用いて、広告主２００の広告を付加して、検索結果を再構成し、図１０に示す検索結果を利用者１００Ａに提供する。
【００８８】
ここで、利用者１００Ａが当該検索結果から意中のＷｅｂページが発見できなかった場合には、以下に示す手順（９）から手順（１２）を実行する。
【００８９】
（９）  利用者１００Ａは、リンク集ページ
http://www.aa.co.jp/
から、他の利用者１００がどのようなＷｅｂページに移動しているかを調査するため、キーとなるＷｅｂページ
http://www.aa.co.jp/
を選択し、再検索モードとして、総合トラフィックを指定して、検索サーバ４１０に対して再検索をリクエストする。
【００９０】
（１０）  検索サーバ４１０は、メタ情報サーバ３１０に対して、Ｗｅｂページ
ＵＲＬ：http://www.aa.co.jp/
をキーとして、当該再検索モード「総合トラフィックに対応するメタ情報」「総合トラフィックによる次候補」の取得をリクエストする。
【００９１】
（１１）  メタ情報サーバ３１０は、格納済のトラフィック情報から、Ｗｅｂページ
ＵＲＬ：http://www.aa.co.jp/
からトラフィックが存在するＷｅｂページのリストを生成し、トラフィック順に順序化して、メタ情報「総合トラフィックによる次候補」を計算する。前述の図７に示すトラフィック情報から当該メタ情報を計算すると、次候補のＵＲＬリスト
｛１．http://www.bb.co.jp/  ( トラフィック数：４），
２．http://www.dd.co.jp/  ( トラフィック数：２），
３．http://www.cc.co.jp/  ( トラフィック数：１），
４．http://www.ee.co.jp/  ( トラフィック数：１），
５．http://www.ff.co.jp/  ( トラフィック数：１）｝
となる。メタ情報サーバ３１０は、検索サーバ４１０に対して、広告主２００の広告と共に、当該メタ情報を返却する。
【００９２】
（１２）  検索サーバ４１０は、当該メタ情報を用いて、広告主２００の広告を付加して、検索結果を再構成し、図１１に示す検索結果を利用者１００Ａに提供する。
【００９３】
（１３）  広告主２００は、メタ情報サービス提供者３００に対して、当該広告が利用者１００に提示された回数、もしくは、利用者１００にクリックされた回数に応じて、広告掲載料を支払う。
【００９４】
また、上記の実施例では、図２〜図４に示す方法に基づいて説明したが、図４に示す検索サーバ、メタ情報サーバが行う処理をプログラムとして構築し、検索サーバ、メタ情報サーバとして利用されるコンピュータに接続されるディスク装置や、フロッピーディスク、ＣＤ−ＲＯＭ等の可搬記憶媒体に格納しておき、本発明を実施する際にインストールすることにより、容易に本発明を実現することができる。
【００９５】
なお、本発明は、上記の実施例に限定されることなく、特許請求の範囲内において、種々変更・応用が可能である。
【００９６】
【発明の効果】
上述のように、本発明によればＷｅｂページから解析・収集されるリンク情報、利用者の挙動を記録したトラフィック情報、利用者の嗜好を記録したユーザアクション情報を用いて、検索結果を再配置することにより、利用者が効率よく検索結果を精査可能とし、また、当該情報を用いて、検索結果の次候補を再計算することにより、利用者が意中の結果を取得できるようにし、究極的には、他の検索サービスとの差別化を図ることができる。
【図面の簡単な説明】
【図１】本発明の原理を説明するための図である。
【図２】本発明の情報検索サービス方法の動作の概要を示すフローチャート（その１）である。
【図３】本発明の情報検索サービス方法の動作の概要を示すフローチャート（その２）である。
【図４】本発明における情報検索サービス方法の概要を説明するための図である。
【図５】本発明の一実施例の超高速情報ナビゲーションシステムの例である。
【図６】本発明の一実施例のリンク情報の例である。
【図７】本発明の一実施例のトラフィック情報の例である。
【図８】本発明の一実施例のユーザアクション情報の例である。
【図９】本発明の一実施例の検索結果の例である。
【図１０】本発明の一実施例の検索結果の例（その１）である。
【図１１】本発明の一実施例の検索結果の例（その２）である。
【図１２】従来の情報検索サービス方法を説明するための図である。
【符号の説明】
１００  利用者
２００  広告主
３００  メタ情報サービス提供者
３１０  メタ情報サーバ
４００  検索サービス提供者
４１０  検索サーバ
５００  インターネット
【図１】
0003539354.tif 000006
【図２】
0003539354.tif 000007
【図３】
0003539354.tif 000008
【図４】
0003539354.tif 000009
【図５】
0003539354.tif 000010
【図６】
0003539354.tif 000011
【図７】
0003539354.tif 000012
【図８】
0003539354.tif 000013
【図９】
0003539354.tif 000014
【図１０】
0003539354.tif 000015
【図１１】
0003539354.tif 000016
【図１２】
0003539354.tif 000017